(57)【要約】【課題】長時間にわたってスリッパを履いても、足裏の刺激が強すぎるということはなく、また凸部の設置位置を足裏のツボなどの適当な位置に微調整することができ、さらにその設置場所を外観から判り易くして、その凸部による足裏のツボ刺激の効果が低減してしまうことのないスリッパを提供する。【解決手段】足底部１の上側体３を表生地３ａと裏生地３ｂから構成したものとし、これら表生地３ａと裏生地３ｂの間に挟み込んだ状態にして周囲をステッチ縫製Ｗすることにより上側体３に固着した凸部材７を、足底部１の芯体６の上面に配設したものとしている。【選択図】図２
0003143449.tif 000002
【実用新案登録請求の範囲】
【請求項１】
足底部（１）の上側体（３）を表生地（３ａ）と裏生地（３ｂ）から構成したものとし、これら表生地（３ａ）と裏生地（３ｂ）の間に挟み込んだ状態にして周囲をステッチ縫製（Ｗ）することにより上側体（３）に固着した凸部材（７）を、足底部（１）の芯体（６）の上面に配設したことを特徴とするスリッパ。
【請求項２】
足底部（１）を上側体（３）、中側体（４）、下側体（５）および芯体（６）から構成したものとすると共に、前記上側体（３）を表生地（３ａ）と裏生地（３ｂ）から構成したものとし、これら表生地（３ａ）と裏生地（３ｂ）の間に挟み込んだ状態にして周囲をステッチ縫製（Ｗ）することにより上側体（３）に固着した凸部材（７）を、前記芯体（６）の上面に配設したことを特徴とするスリッパ。
【請求項３】
前記凸部材（７）を表生地（３ａ）と裏生地（３ｂ）の間に挟み込んだ状態にして、両生地をフレームラミネートで接着してから、前記凸部材（７）の周囲をステッチ縫製（Ｗ）した請求項１または２記載のスリッパ。
【請求項４】
前記表生地（３ａ）を合成樹脂繊維体とし、裏生地（３ｂ）を軟質発泡樹脂体とした請求項１〜３のいずれかに記載のスリッパ。
【請求項５】
前記凸部材（７）を、上側体（３）の土踏まず部分（１０）に固着した請求項１〜４のいずれかに記載のスリッパ。
【請求項６】
前記凸部材（７）を、上側体（３）の踵部分（１１）に固着した請求項１〜４のいずれかに記載のスリッパ。
【請求項７】
前記凸部材（７）を、上側体（３）の指先部分（１２）に固着した請求項１〜４のいずれかに記載のスリッパ。
【請求項８】
前記上側体（３）の周辺、中側体（４）の周辺および下側体（５）の周辺を縫着して袋状体とし、この袋状体の内部に前記芯体（６）を収納して、上側体（３）に固着した凸部材（７）の位置をこの芯体（６）の上面で適当な位置に微調整してから、前記袋状体の口部を閉じるようにした請求項２記載のスリッパ。
【請求項９】
前記芯体（６）の後部に、使用者の踵が嵌り込む凹部（１３）を形成した請求項５または７記載のスリッパ。
【考案の詳細な説明】
【技術分野】
【０００１】
この考案は、足裏のツボなどを刺激できるようにしたスリッパに関するものである。
【背景技術】
【０００２】
従来、この種のスリッパは、例えば図９、１０に示したように、足と接する上底２１と足の甲を被う甲被い２２とを縫い付けたものであって、健康具を上底２１の上面と甲被い２２の内側面に貼着されるようにしている。健康具は、前記スリッパの上底２１と貼着される底面２３ａと、スリッパの甲被い２２と貼着される側面２３ｂと、そのスリッパを履いた際に、足の土踏まずと接する傾斜面２３ｃを有する凸部材２３により形成されている。そして、この凸部材２３は、底面２３ａと側面２３ｂとに接着剤を塗布するか、あるいは両面テープを貼り、足の土踏まずに位置する上底２１の上面と甲被い２２の内側面に貼着されるようにしている（特許文献１）。
【０００３】
このように構成したスリッパは、前記凸部材２３をその底面２３ａと側面２３ｂで、土踏まずが当たる上底２１と甲被い２２に貼着されるようにしたので、貼着時に凸部材２３の位置を履く人の足の形状に合致させることができる。そのため、土踏まずの支持が確実に行え、しかもツボの刺激を行うことができるので、履き心地を良くし、歩行を楽にして健康増進を図ることができるとしている。
【０００４】
さらに、この種のスリッパは、例えば図１１、１２に示したように、指先を挿入するための甲部３１と、テックス３２および底板３３とからなる底部と、底部の上面を覆う表皮３４とからなり、足の指のつけ根部分に対応して第一の凸部３５ａをテックス３２に貼り付けるなどして設けると共に、土踏まず部分に対応して第二の凸部３５ｂをテックス３２に貼り付けるなどして設け、その上面を軟質材３６と表皮３４で覆ったものとしている（特許文献２）。
【０００５】
このように構成したスリッパは、底部の上面をやわらかな材質で覆っているため、適度の刺激があるばかりか、肌触りもよく、長時間の使用にも耐え、かつ健康的であるとしている。
【特許文献１】登録実用新案第３０１５４６６号公報（図１、図２）
【特許文献２】実開平３ー１０９５０１号公報（第１図、第３図）
【考案の開示】
【考案が解決しようとする課題】
【０００６】
しかしながら、上記従来の特許文献１に示されたスリッパは、上底２１の上面と甲被い２２の内側面に貼着されるようにした凸部材２３が剥き出しであるため、長時間にわたってスリッパを履くと、足裏の刺激が強すぎるという課題を有していた。
【０００７】
また、上記従来の特許文献２に示されたスリッパは、第一の凸部３５ａおよび第二の凸部３５ｂをそれぞれテックス３２に貼り付けるなどして設け、その上面を軟質材３６と表皮３４で覆ったものとしているため、特許文献１に示されたスリッパのように、足裏の刺激が強すぎるということはないが、第一の凸部３５ａおよび第二の凸部３５ｂの上面を軟質材３６と表皮３４で覆う前に、これら凸部３５ａ、３５ｂはテックス３２に位置決めされてしまっているので、これら凸部３５ａ、３５ｂの上面を軟質材３６と表皮３４で覆う段階では、その位置を、足裏のツボなどの適当な位置に微調整することができず、足裏のツボ刺激の効果が低減してしまうという課題を有していた。
【０００８】
さらに、上記従来の特許文献２に示されたスリッパは、第一の凸部３５ａおよび第二の凸部３５ｂの上面を軟質材３６と表皮３４で覆ったものとしているため、それらの設置場所が外観からは判り難くなり、使用者がその凸部３５ａ、３５ｂの設置場所を意識し、その設置場所に足裏のツボを合わせて履くこともできないので、前記したのと同様にツボ刺激の効果が低減してしまうという課題を有していた。
【０００９】
そこで、この考案は、上記従来の課題を解決するものであり、長時間にわたってスリッパを履いても、足裏の刺激が強すぎるということはなく、また凸部の設置位置を足裏のツボなどの適当な位置に微調整することができ、さらにその設置場所を外観から判り易くして、その凸部による足裏のツボ刺激の効果が低減してしまうことのないスリッパを提供することを目的としてなされたものである。
【課題を解決するための手段】
【００１０】
そのため、この考案のスリッパは、足底部１の上側体３を表生地３ａと裏生地３ｂから構成したものとし、これら表生地３ａと裏生地３ｂの間に挟み込んだ状態にして周囲をステッチ縫製Ｗすることにより上側体３に固着した凸部材７を、足底部１の芯体６の上面に配設したものとしている。
【００１１】
さらに、この考案のスリッパは、足底部１を上側体３、中側体４、下側体５および芯体６から構成したものとすると共に、前記上側体３を表生地３ａと裏生地３ｂから構成したものとし、これら表生地３ａと裏生地３ｂの間に挟み込んだ状態にして周囲をステッチ縫製Ｗすることにより上側体３に固着した凸部材７を、前記芯体６の上面に配設したものとしている。
【００１２】
そして、この考案のスリッパは、前記凸部材７を表生地３ａと裏生地３ｂの間に挟み込んだ状態にして、両生地をフレームラミネートで接着してから、前記凸部材７の周囲をステッチ縫製Ｗしたものとしている。
【００１３】
さらに、この考案のスリッパは、前記表生地３ａを合成樹脂繊維体とし、裏生地３ｂを軟質発泡樹脂体としている。
【００１４】
また、この考案のスリッパは、前記凸部材７を、上側体３の土踏まず部分１０に固着したり、上側体３の踵部分１１に固着したり、上側体３の指先部分１２に固着したものとしている。
【００１５】
さらに、この考案のスリッパは、前記上側体３の周辺、中側体４の周辺および下側体５の周辺を縫着して袋状体とし、この袋状体の内部に前記芯体６を収納して、上側体３に固着した凸部材７の位置をこの芯体６の上面で適当な位置に微調整してから、前記袋状体の口部を閉じるようにしている。
【００１６】
また、この考案のスリッパにおいて、前記芯体６の後部に、使用者の踵が嵌り込む凹部１３を形成したものとしている。
【考案の効果】
【００１７】
この考案のスリッパは、以上に述べたように構成されているので、長時間にわたってスリッパを履いても、足裏の刺激が強すぎるということはなく、また凸部材の設置位置を足裏のツボなどの適当な位置に微調整することができるので、その凸部材によって適度な足裏刺激を行うことができる。
【００１８】
さらに、この考案のスリッパは、凸部の設置場所を外観から判り易くして、使用者がその凸部の設置場所を意識し、その設置場所に足裏のツボを合わせて履くことができるようにし、その凸部による足裏のツボ刺激の効果が低減してしまうのを防止することができる。
【考案を実施するための最良の形態】
【００１９】
以下、この考案のスリッパを実施するための最良の形態を、図面に基づいて詳細に説明する。
【００２０】
この考案のスリッパは、図に示したように、使用者の足の裏で踏まれる足底部１と、使用者の足の甲が保持される足甲部２から構成している。
【００２１】
前記足底部１は、上側体３、中側体４、下側体５および芯体６から構成したものとしている。さらに、前記上側体３は、表生地３ａと裏生地３ｂから構成したものとし、これら表生地３ａと裏生地３ｂの間に挟み込んだ状態にして周囲をステッチ縫製Ｗすることにより、上側体３の適当な位置に固着した凸部材７を、前記芯体６の上面に配設したものとしている。なお、前記凸部材７を表生地３ａと裏生地３ｂの間に挟み込んだ状態にして、両生地をフレームラミネートで接着してから、前記凸部材７の周囲をステッチ縫製Ｗすることにより、上側体３に固着したものとすれば、前記凸部材７と上側体３の固着がより堅固なものとなり好ましい。
【００２２】
前記足甲部２は、上側体８および下側体９から構成したものとしている。そして、この足甲部２の上側体８の周辺と下側体９の周辺を、両者の間に通気性の中空部Ｓが形成されるようにして縫製したものとしている。
【００２３】
前記足底部１の上側体３を構成する表生地３ａは、ＥＶＡ樹脂などの合成樹脂繊維体としており、裏生地３ｂは、軟質ウレタンフォームなどの軟質発泡樹脂体としている。前記中側体４は、ＥＶＡ樹脂などの合成樹脂繊維体のみとしたり、この合成樹脂繊維体を表生地とし、軟質ウレタンフォームなどの軟質発泡樹脂体を裏生地としたものとしている。さらに、前記下側体５は、ＥＶＡ樹脂などの合成樹脂繊維体、または天然皮革や合成皮革のみとしたり、これらの何れかを表生地とし、軟質ウレタンフォームなどの軟質発泡樹脂体を裏生地としたものとしている。また、前記芯体６および凸部材７は、合成ゴムなどの弾性体としている。なお、これら芯体６および凸部材７は、図示したように、弾性率の異なる弾性体を２〜３層程度、重ね合わせて、適当な弾性を有するものに調整したものとしている。このようにすると、この考案のスリッパは、強度性に優れたものとなると共に、クッション性に富んだものとなり、さらに肌触りも良くなり、凸部材７による足裏の刺激が適度なものとなる。
【００２４】
この考案のスリッパにおいて、前記上側体３の適当な位置とは、使用者の土踏まず部分、踵部分、指先部分の足裏のツボに対応する部分などとしている。すなわち、前記凸部材７は、図１、２、８に示したように、上側体３の土踏まず部分１０に固着したり、図４、５に示したように、上側体３の踵部分１１に固着したり、図６、７に示したように、上側体３の指先部分１２に固着したものとしている。
【００２５】
さらに、この考案のスリッパにおいて、前記上側体３の周辺、中側体４の周辺および下側体５の周辺を縫着して袋状体とし、この袋状体の内部に前記芯体６を収納して、上側体３のそれぞれの部分に固着した凸部材７の位置をこの芯体６の上面で適当な位置に微調整してから、前記袋状体の口部を閉じる。このようにすると、前記上側体３の凸部材７の位置をそれぞれの部分で足裏のツボなどの正確な位置にすることができる。
【００２６】
また、この考案のスリッパにおいて、前記凸部材７を上側体３の踵部分１１以外に固着した場合には、前記芯体６の後部に、使用者の踵が嵌り込む凹部１３を形成したものとしている。なお、この凹部１３は、芯体６の後部の外縁部に沿ってＵ字状の底上げ部材１４を貼着することにより形成したものとしているが、芯体６の後部を直接へこましたものとしてもよい。このようにすると、使用者がスリッパを履いて体重をかけた場合に踵がスリッパにフィットするので、足裏がスリッパからずれ難くなり、前記凸部材７と使用者の足裏との接触位置をツボの位置などの好ましい位置に保持しておける。
【００２７】
以上に述べたように構成されたこの考案のスリッパは、凸部材７を表生地３ａと裏生地３ｂの間に挟み込んだ状態にすると共に、表生地３ａを合成樹脂繊維体とし、裏生地３ｂを軟質発泡樹脂体としているので、クッション性に富んだものとなると共に、肌触りが良くなり、凸部材７による刺激は適度なものとなり、足裏の刺激が強すぎるということはなく、長時間にわたってスリッパを履いてもまったく問題がない。
【００２８】
また、この考案のスリッパは、凸部材の位置を芯体６の上面で適当な位置に微調整することができるので、前記凸部材７の位置を足裏のツボなどの正確な位置にし、その凸部材７によって適度な足裏刺激を行うことができるものとなる。
【００２９】
さらに、この考案のスリッパは、凸部材７を表生地３ａと裏生地３ｂの間に挟み込んだ状態にして周囲をステッチ縫製Ｗすることにより上側体３に固着しているので、そのステッチ縫製Ｗの縫い目により、凸部材７の設置場所が外観から容易にわかる。したがって、使用者はその凸部材７の設置場所を意識し、その設置場所に足裏のツボを合わせて履くことができるので、その凸部材７による足裏のツボ刺激の効果が低減してしまうことがないものとなる。
【図面の簡単な説明】
【００３０】
【図１】この考案のスリッパの一実施形態を示す斜視図である。
【図２】図１に示すこの考案のスリッパのＡ−Ａ線断面図である。
【図３】図１に示すこの考案のスリッパのＢ−Ｂ線断面図である。
【図４】この考案のスリッパの他の実施形態を示す平面図である。
【図５】図４に示すこの考案のスリッパのＣ−Ｃ線断面図である。
【図６】この考案のスリッパのさらに他の実施形態を示す平面図である。
【図７】図６に示すこの考案のスリッパのＤ−Ｄ線断面図である。
【図８】この考案のスリッパのさらに他の実施形態を示す平面図である。
【図９】従来のスリッパの一例を示す斜視図である。
【図１０】図９に示す従来のスリッパに設けた凸部材の斜視図である。
【図１１】従来のスリッパの他の例を示す平面図である。
【図１２】図１１に示す従来のスリッパのＥ−Ｅ線断面図である。
【符号の説明】
【００３１】
１  足底部
３  上側体
３ａ  表生地
３ｂ  裏生地
４  中側体
５  下側体
６  芯体
７  凸部材
１０  土踏まず部分
１１  踵部分
１２  指先部分
１３  凹部
Ｗ  ステッチ縫製
【図１】
0003143449.tif 000003
【図２】
0003143449.tif 000004
【図３】
0003143449.tif 000005
【図４】
0003143449.tif 000006
【図５】
0003143449.tif 000007
【図６】
0003143449.tif 000008
【図７】
0003143449.tif 000009
【図８】
0003143449.tif 000010
【図９】
0003143449.tif 000011
【図１０】
0003143449.tif 000012
【図１１】
0003143449.tif 000013
【図１２】
0003143449.tif 000014